(57)【特許請求の範囲】
【請求項１】
前面が接客面を構成し、かつ後面にのみ開口を有した箱状を成し、前記後面の開口が扉体により開閉されるケース本体と、
前記ケース本体の内部に形成された収納域に上下方向に沿って複数段設けられ、かつ収納対象となる商品を載置する商品載置棚と
を備え、前記接客面を通じて前記商品載置棚に載置された商品を視認させるショーケースにおいて、
前記商品載置棚は、
前記収納域の後方側に互いの内面が対向する態様で立設された左右一対の棚柱に支持されたブラケット部材と、
上面が前記商品を載置する商品載置面を構成し、かつ後方へ引出操作された場合には前記ブラケット部材間にて後方に向けてスライド移動可能な棚板と
を備えてなり、
前記ブラケット部材は、
後端部の一部を他のブラケット部材とは反対側の方向に向けて屈曲させて形成された係止片と、
前記係止片よりも前方側にて該係止片と同一方向に向けて屈曲させて形成された当接片に、後方に向けて突出するよう取り付けられた係止ピンと
を有し、
前記係止片が前記棚柱の内面に形成された第１係止孔に挿入し、かつ前記係止ピンが前記棚柱の内面に連続する態様で前面に形成された第２係止孔に挿入して前記当接片が該前面に当接することで該棚柱に支持されることを特徴とするショーケース。
【請求項２】
前記ブラケット部材は、前記後端部に後方に向けて突出する係合片を有し、かつ該係合片が前記棚柱の内面に接して該棚柱に支持されることを特徴とする請求項１に記載のショーケース。
【発明の詳細な説明】
【技術分野】
【０００１】
本発明は、ショーケースに関するものである。
【背景技術】
【０００２】
例えばコンビニエンスストア等の店舗のカウンタ上に設置され、かつ商品を外部から視認可能に載置するショーケースが特許文献１に提案されている。
【０００３】
かかるショーケースは、ケース本体を備えている。ケース本体は、箱状の形態を成しており、内部が収納室と機械室とに区画されている。このケース本体は、収納室を構成する前面が接客面を構成し、かつ該収納室を構成する後面に開口が形成されている。
【０００４】
上記ケース本体の収納室には、商品載置棚が上下方向に沿って複数段設けられている。商品載置棚は、収納対象となる商品を載置するものである。また、ケース本体の後面に形成された開口は、複数のガラス扉が左右にスライド移動することで開閉される。
【０００５】
このようなショーケースは、ケース本体における収納室を構成する前面（接客面）等が透明な樹脂材等で形成されており、これにより接客面を通じて商品載置棚に載置された商品を視認させるようにしている。
【先行技術文献】
【特許文献】
【０００６】
【特許文献１】特開２００８−１６７９２７号公報
【発明の概要】
【発明が解決しようとする課題】
【０００７】
ところで、上述した特許文献１に提案されているショーケースでは、ガラス扉を開移動させてケース本体の後面の開口を開放させてから、ケース本体の内部にて商品載置棚に商品の補充を行ったり、商品載置棚から商品の取り出しを行ったりすることとなる。
【０００８】
しかしながら、ケース本体の内部で商品の取り出し等の作業を行うことは、店舗の従業員が手指等をケース本体の内部に入れて行う必要があり、作業が煩雑なものとなっていた。
【０００９】
しかも、店舗のカウンタ上に設置されて接客面を通じて商品載置棚に載置された商品を視認させるものである以上、所定期間毎に商品載置棚を清掃することが求められている。
【００１０】
本発明は、上記実情に鑑みて、商品の取り出し等の作業を簡単に行うことができるとともに、商品載置棚の清掃作業を容易なものとすることができるショーケースを提供することを目的とする。
【課題を解決するための手段】
【００１１】
上記目的を達成するために、本発明に係るショーケースは、前面が接客面を構成し、かつ後面にのみ開口を有した箱状を成し、前記後面の開口が扉体により開閉されるケース本体と、前記ケース本体の内部に形成された収納域に上下方向に沿って複数段設けられ、かつ収納対象となる商品を載置する商品載置棚とを備え、前記接客面を通じて前記商品載置棚に載置された商品を視認させるショーケースにおいて、前記商品載置棚は、前記収納域の後方側に互いの内面が対向する態様で立設された左右一対の棚柱に支持されたブラケット部材と、上面が前記商品を載置する商品載置面を構成し、かつ後方へ引出操作された場合には前記ブラケット部材間にて後方に向けてスライド移動可能な棚板とを備えてなり、前記ブラケット部材は、後端部の一部を他のブラケット部材とは反対側の方向に向けて屈曲させて形成された係止片と、前記係止片よりも前方側にて該係止片と同一方向に向けて屈曲させて形成された当接片に、後方に向けて突出するよう取り付けられた係止ピンとを有し、前記係止片が前記棚柱の内面に形成された第１係止孔に挿入し、かつ前記係止ピンが前記棚柱の内面に連続する態様で前面に形成された第２係止孔に挿入して前記当接片が該前面に当接することで該棚柱に支持されることを特徴とする。
【００１２】
また本発明は、上記ショーケースにおいて、前記ブラケット部材は、前記後端部に後方に向けて突出する係合片を有し、かつ該係合片が前記棚柱の内面に接して該棚柱に支持されることを特徴とする。
【発明の効果】
【００１３】
本発明によれば、商品載置棚を構成する棚板が、収納域の後方側に立設された棚柱に支持されたブラケット部材間において、後方へ引出操作された場合には後方に向けてスライド移動可能であるので、棚板が引出操作されて開口を通じて棚板をケース本体の外部にスライド移動させることができ、従来のようにケース本体の内部に店舗の従業員の手指を進入させなくても、ケース本体の外部にスライド移動させた棚板に対して商品の取り出し等の作業を行うことができ、商品の取り出し等の作業を簡単に行うことができるという効果を奏する。
【００１４】
また、商品載置棚を構成するブラケット部材は、係止片を第１係止孔から離脱させつつ係止ピンを第２係止孔から離脱させることで、棚柱から容易に取り外すことができ、該ブラケット部材等の清掃等を簡単に行うことができるという効果を奏する。
【図面の簡単な説明】
【００１５】
【図１】図１は、本発明の実施の形態であるショーケースの内部構造を左側から見た場合を模式的に示す断面側面図である。
【図２】図２は、収納室における複数の商品載置棚を右側上方より見た場合を示す斜視図である。
【図３】図３は、収納室における複数の商品載置棚を右側下方より見た場合を示す斜視図である。
【図４】図４は、ブラケット部材を示す斜視図である。
【図５】図５は、右側のブラケット部材が右側の棚柱に支持される状態を示す左側側面図である。
【図６】図６は、右側のブラケット部材が右側の棚柱に支持される状態を示す平面図である。
【図７】図７は、受部材を示す斜視図である。
【図８】図８は、商品載置棚の要部を示す斜視図である。
【図９】図９は、レール部材の要部を示す右側面図である。
【図１０】図１０は、レール部材の要部を示す左側面図である。
【図１１】図１１は、商品載置棚の要部を示す斜視図である。
【図１２】図１２は、断熱底板を示す斜視図である。
【図１３】図１３は、断熱底板を構成する断熱ボードを示す斜視図である。
【図１４】図１４は、扉体の前面を右側前方上方域から見た場合を示す斜視図である。
【図１５】図１５は、扉体の前面を右側前方下方域から見た場合を示す斜視図である。
【図１６】図１６は、扉体の前面の正面図である。
【図１７】図１７は、図１に示したショーケースにおけるケース本体の後面側を拡大して模式的に示す拡大平面図である。
【図１８】図１８は、図１に示したショーケースにおけるケース本体の後面側を拡大して模式的に示す拡大平面図である。
【発明を実施するための形態】
【００１６】
以下に添付図面を参照して、本発明に係るショーケースの好適な実施の形態について詳細に説明する。
【００１７】
図１は、本発明の実施の形態であるショーケースの内部構造を左側から見た場合を模式的に示す断面側面図である。ここで例示するショーケースは、例えばコンビニエンスストア等の店舗のカウンタ上に設置されてドーナツ等の商品を陳列するものであり、ケース本体１０及び扉体３０を備えて構成してある。
【００１８】
ケース本体１０は、箱状の形態を成しており、内部が収納室１１と機械室１２とに上下に区画されている。このケース本体１０は、収納室１１を構成する前面１３が接客面を構成し、かつ該収納室１１を構成する後面１４に開口（以下、後面開口ともいう）１５が形成されている。かかるケース本体１０では、収納室１１を構成する前面１３及び左右両側面は、断熱構造を有する透明なガラス材や樹脂材により構成されており、収納室１１が外部から視認可能である。
【００１９】
上記ケース本体１０における収納室１１には、複数の商品載置棚１６が上下方向に沿って複数段並べて配設してある。
【００２０】
図２及び図３は、それぞれ収納室１１における複数の商品載置棚１６を示すものであり、図２は右側上方より見た場合を示す斜視図、図３は右側下方より見た場合を示す斜視図である。これら図２及び図３に示すように、商品載置棚１６は、ブラケット部材１７、受部材１８及び棚板１９を備えて構成してある。
【００２１】
ブラケット部材１７は、図４に示すように左右一対のものである。このようなブラケット部材１７は、互いの内面が対向する態様で棚柱２０に支持されている。尚、ここでいう「内面」とは、右側のブラケット部材１７では左面をさし、左側のブラケット部材１７では右面をさすものとする。また、左側のブラケット部材１７は、右側のブラケット部材１７に対して左右方向の構成が異なるだけであるので、以下においては右側のブラケット部材１７について説明し、左側のブラケット部材１７の説明は割愛する。
【００２２】
棚柱２０は、収納室１１の後方側において互いの内面が対向する態様で立設された左右一対のものである。これら棚柱２０は、第１係止孔２０１及び第２係止孔２０２が形成されている。尚、ここでいう「内面」とは、右側の棚柱２０では左面をさし、左側の棚柱２０では右面をさすものとする。
【００２３】
第１係止孔２０１は、各棚柱２０の内面に上下方向に沿って所定間隔毎に形成された矩形状のものである。つまり各棚柱２０の内面においてそれぞれの高さレベルに形成された第１係止孔２０１同士が左右一対となる態様で互いに対向して形成されている。
【００２４】
第２係止孔２０２は、各棚柱２０の前面に上下方向に沿って所定間隔毎に形成されている。これら第２係止孔２０２は、棚柱２０の内面に連続する態様で形成された長孔である。また、第２係止孔２０２では、棚柱２０の内面に開口する部分の上下寸法が棚柱２０の前面に開口する部分の上下寸法よりも大きくしてある。
【００２５】
上記ブラケット部材１７は、内面に２つのブラケットローラ１７１が回転可能に配設してあり、係止片１７２、当接片１７３及び係合片１７４が形成してある。
【００２６】
係止片１７２は、複数（図示の例では２つ）あり、それぞれブラケット部材１７の後端部の舌片状部位を他のブラケット部材１７とは反対側の方向、すなわち右方に屈曲させて形成してある。
【００２７】
当接片１７３は、ブラケット部材１７における後端部であって係止片１７２よりも前方側となる個所を切り欠くことにより形成された矩形状部位を上記係止片１７２と同一の方向に屈曲させて形成したものである。この当接片１７３の中央部分には、後方に向けて突出する態様で係止ピン１７５（図６参照）が配設してある。係止ピン１７５は、その最大径が上記第２係止孔２０２における棚柱２０の内面に開口する部分の上下寸法よりも小さく、かつ上記第２係止孔２０２における棚柱２０の前面に開口する部分の上下寸法よりも大きいものである。
【００２８】
係合片１７４は、ブラケット部材１７の後端部であって２つの係止片１７２の間に後方に向けて突出する態様で形成した平板状部位である。この係合片１７４には、その中央部分に矩形状開口１７４ａが形成してある。
【００２９】
図５及び図６は、それぞれ右側のブラケット部材１７が右側の棚柱２０に支持される状態を示すもので、図５は左側側面図、図６は平面図である。
【００３０】
右側のブラケット部材１７を右側の棚柱２０に対して左方側から近接させて、係止片１７２を第１係止孔２０１に進入させるとともに係止ピン１７５を第２係止孔２０２に進入させることで、当接片１７３が棚柱２０の前面に接するとともに係合片１７４が棚柱２０の内面に接して右側のブラケット部材１７が右側の棚柱２０に支持される。この場合において、係止ピン１７５の最大径が第２係止孔２０２における棚柱２０の前面に開口する部分よりも大きいことで、ブラケット部材１７が前方に向けて引き抜かれることが防止される。しかも当接片１７３が棚柱２０の前面に接することで、ブラケット部材１７が上下に揺動することが抑制され、更に係合片１７４が棚柱２０の内面に接することで、ブラケット部材１７が左右に揺動することが抑制される。
【００３１】
受部材１８は、図７に示すように左右一対のものである。尚、左側の受部材１８は、右側の受部材１８に対して左右方向の構成が異なるだけであるので、以下においては右側の受部材１８について説明し、左側の受部材１８の説明は割愛する。
【００３２】
受部材１８は、前後方向が長手方向となる長尺状のものであり、上下方向に沿って延在する基部１８１と、基部１８１の上端縁部より左方に向けて延在する上面部１８２とを有している。基部１８１の左面には、２つの受部ローラ１８３が回転可能に配設してある。上面部１８２には、前後方向が長手方向となる長孔１８４が形成してある。この長孔１８４は、長手方向の中央部分の幅が、前方部分及び後方部分の幅よりも大きくなるように形成してある。また、上面部１８２の後端部にはストッパ部１８５が形成してある。ストッパ部１８５は、上面部１８２の後端部において後方に向けて突出する矩形状部位を上方に向けて屈曲させた後に前方に向けて屈曲させることにより形成されたものである。
【００３３】
このような受部材１８は、図８に示すように、レール部材２１を介してブラケット部材１７の内面に配設してある。ここでレール部材２１は、ブラケットレール部２１ａと棚レール部２１ｂとが互いに接合されて構成したものである。
【００３４】
ブラケットレール部２１ａは、縦断面が略コ字状を成し、前後方向が長手方向となる長尺棒状体である。このブラケットレール部２１ａは、図９に示すように、ブラケットローラ１７１の進入を許容し、かつブラケットローラ１７１を転動させるものである。この図９中の符号２１１は、レール部材２１の抜け防止用の規制部材である。
【００３５】
棚レール部２１ｂは、縦断面が略コ字状を成し、前後方向が長手方向となる長尺棒状体である。この棚レール部２１ｂは、図１０に示すように、受部ローラ１８３の進入を許容し、かつ受部ローラ１８３を転動させるものである。この図１０中の符号２１２は、受部材１８の抜け防止用の規制部材である。
【００３６】
このようにレール部材２１は、ブラケットレール部２１ａにブラケットローラ１７１が進入して転動することで、ブラケット部材１７に対して前後方向に沿ってスライド移動可能なものである。また、受部材１８は、受部ローラ１８３がレール部材２１の棚レール部２１ｂに進入して転動することで、レール部材２１に対して前後方向に対してスライド移動可能なものである。つまり、受部材１８は、レール部材２１を介することで、ブラケット部材１７に内面に対して前後方向に沿って移動可能に配設してある。
【００３７】
棚板１９は、平板状の形態を成すものであり、その上面が商品を載置するための商品載置面を構成している。この棚板１９の下面における左右両端部には、係合部材１９１が設けてある。係合部材１９１は、前後方向が長手方向となり、かつ下方に向けて突出する長尺状突部１９２を有している。この長尺状突部１９２の前後長さ及び左右方向の長さは、上記長孔１８４に進入可能な大きさである。また、係合部材１９１は、長尺状突部１９２の前端部にフック部１９３が設けられている。
【００３８】
このような棚板１９は、それぞれの係合部材１９１における長尺状突部１９２を各受部材１８の長孔１８４に進入させるようにし、図２、図３及び図１１に示すように、フック部１９３を受部材１８における長孔１８４の前縁部に係止させ、かつストッパ部１８５により後方への移動を規制されることでこれら受部材１８を跨るようにして該受部材１８に係合している。
【００３９】
そして、棚板１９には、把手部１９４が形成してある。把手部１９４は、棚板１９の後端部における左右方向の中央部分にて上方に向けて延在する態様で形成してある。
【００４０】
かかる棚板１９は、各受部材１８に係合することで、ブラケット部材１７に対して前後方向にスライド移動可能である。つまり、棚板１９は、引出操作された場合には、後面開口１５を通じて後方に向けてスライド移動することが可能であり、押出操作された場合には、後面開口１５を通じて前方に向けてスライド移動することが可能である。そして、このような棚板１９の上面には、商品ガイド２２に支持された状態でドーナツ等の商品が前後方向及び左右方向に並ぶよう載置されている。
【００４１】
冷却ユニット５０は、ケース本体１０における機械室１２に配設してある。この冷却ユニット５０は、冷却器５１、放熱器５２、循環ファン（循環手段）５３及び放熱ファン５４を備えて構成してある。
【００４２】
冷却器５１は、収納室１１と機械室１２とを区画する断熱底板２３の下面、すなわち機械室１２を臨む面に形成された第２吸込口２３２の下方側に配設してある。
【００４３】
ここで断熱底板２３について先に説明する。断熱底板２３は、図１２及び図１３に示すように、デッキパン２３ａと断熱ボード２３ｂとを備えて構成してある。
【００４４】
デッキパン２３ａは、例えば鋼板等により構成された板状部材で、断熱ボード２３ｂの上面を覆う態様で配設してある。これにより、デッキパン２３ａの上面が断熱底板２３の収納室１１を臨む面を形成している。このようなデッキパン２３ａの上面における左右両端側には矩形状の第１吸込口２３１が形成してある。また、デッキパン２３ａの後方側の中央領域には第１吹出口２３３が形成してある。
【００４５】
断熱ボード２３ｂは、断熱材により形成された板状部材である。この断熱ボード２３ｂの下面が断熱底板２３の機械室１２を臨む面を形成している。そして、断熱ボード２３ｂの中央部分には、第２吸込口２３２が形成してあるとともに、この第２吸込口２３２に連通する吸込流路２３５が切り抜きにより形成してある。かかる吸込流路２３５は、デッキパン２３ａに形成された第１吸込口２３１と第２吸込口２３２とを連通するものである。また、断熱ボード２３ｂにおける第２吸込口２３２の後方側であって、第１吹出口２３３の下方側となる個所には、第２吹出口２３４が形成している。かかる第２吹出口２３４は第１吹出口２３３と連通している。
【００４６】
このように断熱底板２３においては、第１吸込口２３１と第２吸込口２３２とが互いに上下方向において重ならない個所に形成されており、断熱ボード２３ｂに形成された吸込流路２３５を介して第１吸込口２３１と第２吸込口２３２とが連通している。また、第１吹出口２３３と第２吹出口２３４とは互いに上下に重なる個所に形成されており、互いに連通している。
【００４７】
上記冷却器５１は、ペルチェ素子５５の冷温部分に熱的に接続してある。ここで、ペルチェ素子５５は、従来公知のものであり、ｐ型半導体とｎ型半導体とを電極板によって交互に直列に接続し、これら半導体の表裏に絶縁板を配設したものである。このようなペルチェ素子５５は、直流電流が電極板に与えられることにより、一方の絶縁板は吸熱し（冷温部分となり）、他方の絶縁板が発熱する（高温部分となる）ものである。
【００４８】
上記冷却器５１は、熱伝導性に優れた材料により構成されており、図には明示していないが、複数のフィンが設けられ、これらフィン間が空気が通過するための空気通路を構成している。かかる冷却器５１は、ペルチェ素子５５から与えられる冷熱により、空気通路を通過する空気を冷却するものである。
【００４９】
放熱器５２は、冷却器５１の前方側に配設してあり、ペルチェ素子５５の高温部分に熱的に接続してある。この放熱器５２は、熱伝導性に優れた材料により構成されており、図には明示していないが、複数のフィンが設けられ、これらフィン間が空気が通過するための空気通路を構成している。かかる放熱器５２は、ペルチェ素子５５から与えられる高温排熱により、空気通路を通過する空気を加熱して放熱するものである。
【００５０】
循環ファン５３は、上記第２吸込口２３２と上記第２吹出口２３４とを連通するよう形成された風洞５６の内部において、冷却器５１の後方側に配設してある。この循環ファン５３は、駆動することにより上記第１吸込口２３１及び上記第２吸込口２３２を通じて収納室１１の内部の空気を吸引し、冷却器５１の空気通路に吸引した空気を通過させる。
【００５１】
そして、循環ファン５３は、冷却器５１の空気通路を通過した空気を、上記第２吹出口２３４及び上記第１吹出口２３３を通じて収納室１１に吹き出すことで、収納室１１の内部の空気を収納室１１と機械室１２との間で循環させるものである。
【００５２】
放熱ファン５４は、上記放熱器５２の前方側に配設してある。この放熱ファン５４は、駆動することにより機械室１２の底面に形成された吸引口６３を通じて外気を吸引して放熱器５２の空気通路を通過させる。そして、放熱ファン５４は、放熱器５２の空気通路を通過した外気を、機械室１２の底面に形成された吐出口６４を通じて外部に吐出させるものである。
【００５３】
このような機械室１２の底面、すなわちケース本体１０の底面には、上記吸引口６３及び上記吐出口６４の他、ドレン水排出口６５が形成されるとともに、ドレン皿７１及びガイド部材７５が設けてある。
【００５４】
ドレン水排出口６５は、吐出口６４よりも後方側に形成されており、ケース本体１０の内部（例えば冷却器５１等）で発生して樋部材６６を通じて移動したドレン水を外部に排出するための開口である。
【００５５】
ドレン皿７１は、ドレン水排出口６５の下方域に配設されており、ドレン水排出口６５を通じて排出されたドレン水を貯留するためのものである。このドレン皿７１は、上部に形成された鍔部分７２が機械室１２の底面より下方に突出する態様で形成された左右一対のドレン支持部材７３に支持されている。
【００５６】
ガイド部材７５は、平板状部材を屈曲して形成したものであり、吸引口６３と吐出口６４との間において機械室１２の底面より下方に突出する態様で配設してある。このガイド部材７５は、ガイド基部７５１と、ガイド下延部７５２と、ガイド後延部７５３とを有している。
【００５７】
ガイド基部７５１は、機械室１２の底面に取り付けられる部位である。ガイド下延部７５２は、ガイド基部７５１の後端縁部より下方に向けて延在する部位である。ガイド後延部７５３は、ガイド下延部７５２の延在端部である下端部より後方に向けて延在する部位である。
【００５８】
上記ガイド部材７５は、左右方向の長さは、吸引口６３や吐出口６４よりも大きく形成してあり、吐出口６４から吹き出された空気が前方側の吸引口６３に向けて通過することを規制しつつ、後方側のドレン皿７１の周囲を通過するよう案内するものである。図１中の符号２４は、ケース本体１０の脚部である。
【００５９】
扉体３０は、後面開口１５を開閉するためのものであり、後面開口１５を閉塞するのに十分な大きさを有した平板状部材である。この扉体３０は、断熱性能を有する透明な樹脂材等から構成されるものである。
【００６０】
上記扉体３０の前面の周縁部、すなわち後面開口１５を閉塞する場合に該後面開口１５の周縁部を形成するケース本体１０の金属製フレームに対向する部分にガスケット部材３１が配設してある。かかるガスケット部材３１としては、扉体３０が後面開口１５を閉塞する際に、磁力の作用により後面開口１５の周縁部に吸着することが可能なマグネットガスケットであることが好ましい。
【００６１】
図１４〜図１６は、扉体３０の前面を示すもので、図１４は右側前方上方域から見た場合を示す斜視図であり、図１５は右側前方下方域から見た場合を示す斜視図であり、図１６は正面図である。
【００６２】
これら図１４〜図１６に示すように、扉体３０の前面には背面ダクト３２が配設してある。背面ダクト３２は、扉体３０の前面との間に上下方向に沿って延在する空気通路３２ａを形成しており、導入口３２１及び噴出孔３２２を有している。
【００６３】
導入口３２１は、下方に形成された開口であり、後述するように循環ファン５３が駆動する場合に、空気を導入するための開口である。導入口３２１を通じて導入された空気は空気通路３２ａを通過することとなる。この導入口３２１は、扉体３０が後面開口１５を閉塞する場合に、第１吹出口２３３の上方側に位置するものである。
【００６４】
噴出孔３２２は、背面ダクト３２の前面に多数形成されており、上記循環ファン５３が駆動する場合に、空気通路３２ａを通過する空気を前方に向けて噴出させるための孔である。
【００６５】
このような背面ダクト３２は、上記扉体３０とともに透明な樹脂材等から構成されるものである。そして、背面ダクト３２は、右端部が扉体３０の前面に取り付けられた右側ダクトカバー３３により右方への移動及び下方への移動が規制されるよう保持されるとともに、左端部の下方側が扉体３０の前面に取り付けられた左側ダクトカバー３４により下方への移動及び左方への移動が規制されるよう保持され、更に左端部に取り付けられた磁石３６が扉体３０の前面に配設された磁性板３７に磁力により吸着することで配設されている。つまり、背面ダクト３２は、磁石３６を磁性板３７から離脱させて上方に受けて移動させることで扉体３０から離脱することができ、これにより、背面ダクト３２は、扉体３０の前面に着脱可能に配設してある。
【００６６】
このような扉体３０は、図１７に示すように、扉体支持部材４０により支持されている。扉体支持部材４０は、上下に例えば２つ設けてある。これら扉体支持部材４０は、それぞれケース本体１０の後面１４を構成する後面開口１５の右側縁部（金属製フレーム）に配設してあり、取付部４１と軸保持部４２とを備えている。
【００６７】
取付部４１は、上方から見た場合にＬ字状を成す板状部材であり、上記右側縁部にビス等で取り付けられる取付基部４１１と、この取付基部４１１の右端部より後方側に向けて延在する取付後延部４１２とを有している。
【００６８】
軸保持部４２は、前端部が上記取付後延部４１２にビス等で取り付けられるとともに、上下方向に沿って所定間隔毎に形成された舌片状の後端部が上下方向に沿って延在する軸部３８を貫通させる中空孔を形成するようカール状に形成されて構成されている。この軸保持部４２は、基端部が扉体３０の後面１４に取り付けられるとともに先端部が該軸部３８を巻回する扉体用軸保持部３９と蝶番を構成している。つまり、軸保持部４２は、扉体用軸保持部３９との間では、互いに軸部３８の中心軸回りに回転可能となっている。これにより、扉体３０は軸部３８の中心軸回りに揺動する態様で開閉移動するものである。
【００６９】
従って、扉体支持部材４０は、軸保持部４２を通じて保持する軸部３８の中心軸回りに揺動する態様で扉体３０を開閉可能に支持するものである。また扉体支持部材４０は、軸部３８をケース本体１０の後面１４から後方側に離隔させつつ後面開口１５の右側縁部よりも右方側で保持している。
【００７０】
このような扉体支持部材４０は、図１８に示すように、扉体３０が開操作された場合には、図１８中の二点鎖線で示すように、棚板１９の後方へのスライド移動可能な領域Ｓからガスケット部材３１だけでなく該扉体３０の前面に取り付けられた背面ダクト３２や右側ダクトカバー３３が退避するように扉体３０が開移動することを許容するものである。尚、図１中の符号３０ａは、扉体３０の後面１４に設けられた把手部である。
【００７１】
以上のような構成を有するショーケースにおいては、扉体３０が後面開口１５を閉塞した状態で循環ファン５３が駆動することにより、収納室１１の内部空気が第１吸込口２３１を通じて吸込流路２３５を通過し、その後に第２吸込口２３２を通じて冷却器５１に至る。冷却器５１に至った空気は、空気通路を通過して冷却されて風洞５６を通過し、第２吹出口２３４及び第１吹出口２３３を通じて収納室１１に吹き出される。
【００７２】
第１吹出口２３３より吹き出された空気は、導入口３２１を通じて背面ダクト３２に導入されて空気通路３２ａを通過しつつ、噴出孔３２２より前方に噴出され、各商品載置棚１６の商品の近傍を通過し、その後に第１吸込口２３１に吸い込まれることで上述した循環を繰り返す。この結果、収納室１１の内部空気が冷却され、これにより商品載置棚１６に載置された商品が冷却される。
【００７３】
その一方、放熱ファン５４が駆動することにより、外気が吸引口６３を通じて放熱器５２の空気通路を通過して加熱されてその後に吐出口６４より外部に吐出される。外部に吐出された空気は、ガイド部材７５によって、後方に向けて移動し、ドレン皿７１の周囲を通過して排出される。
【００７４】
またショーケースは、商品載置棚１６に載置された商品の取り出し作業を行う場合には、扉体３０が開操作されて開移動することで後面開口１５を開放させる。その後に所望の商品を載置する商品載置棚１６の棚板１９が後方に向けて引き出される引出操作が行われることで、該棚板１９が後方に向けてスライド移動して、商品の取り出し作業が行われる。
【００７５】
商品の取り出しが行われた後、引出操作された棚板１９が前方に向けて押し込まれる押出操作が行われることで、該棚板１９が前方に向けてスライド移動する。その後に扉体３０が閉操作されて閉移動することでガスケット部材３１がケース本体１０の後面１４における後面開口１５の周縁部に吸着して該後面開口１５が閉塞される。
【００７６】
以上説明したような本実施の形態であるショーケースによれば、扉体３０が開操作されて開移動することで後面開口１５を開放し、所望の商品載置棚１６の棚板１９が引出操作されて該後面開口１５を通じて棚板１９をケース本体１０の外部にスライド移動させることで、従来のようにケース本体の内部に店舗の従業員の手指を進入させなくても、ケース本体１０の外部にスライド移動させた棚板１９に対して商品の取り出し等の作業を行うことができる。よって、商品の取り出し等の作業を簡単に行うことができる。
【００７７】
特に棚板１９の後端部における左右方向の中央部分にて上方に向けて延在する態様で把手部１９４が形成してあるので、店舗の従業員等は、かかる把手部１９４を把持して棚板１９を良好に引き出すことができる。
【００７８】
しかも、商品載置棚１６を構成する棚板１９は、フック部１９３を受部材１８の長孔１８４の前縁部から離脱させることで、受部材１８から容易に取り外すことができ、該棚板１９の清掃等を簡単に行うことができる。
【００７９】
更に、ブラケット部材１７は、棚柱２０に対して内方に移動させれば、係止片１７２を第１係止孔２０１から離脱させつつ係止ピン１７５を第２係止孔２０２から離脱させることができ、ブラケット部材１７をレール部材２１及び受部材１８とともに容易に取り外すことができ、該ブラケット部材１７等の清掃等を簡単に行うことができる。
【００８０】
上記ショーケースによれば、断熱底板２３は、収納室１１を臨む面に形成された第１吸込口２３１と、機械室１２を臨む面に形成された第２吸込口２３２とが互いに上下に重ならない個所に形成され、かつ第１吸込口２３１と第２吸込口２３２とが吸込流路２３５により連通しているので、本来吸込口を形成することが望ましい位置に吸込口を形成することができない場合でも、ショーケース全体の高さ寸法や幅寸法等を維持した状態で収納室１１の容積が低減することを抑制することができる。従って、高さ寸法等を大きくすることなく、収納商品数の低減化を抑制することができる。
【００８１】
上記ショーケースによれば、循環ファン５３の駆動により冷却器５１にて冷却された空気を背面ダクト３２の空気通路３２ａに導入させることで、扉体３０の前面に沿って上方に向けて移動させつつ、噴出孔３２２より前方に噴出させることで各商品載置棚１６に載置された商品の近傍を通過させることができ、収納室１１の全体に亘って内部空気を早期に冷却することができる。これにより、商品載置棚１６に載置された商品の冷却に要する時間の短縮化を図ることができる。
【００８２】
また、上記ショーケースによれば、背面ダクト３２は扉体３０に着脱可能に配設されているので、背面ダクト３２を扉体３０から取り外すことで、該背面ダクト３２の清掃等を簡単に行うことができる。
【００８３】
更に、上記ショーケースによれば、背面ダクト３２は扉体３０とともに透明な樹脂材等から構成されているので、後方からも収納室１１を視認させることができる。
【符号の説明】
【００８４】
１０  ケース本体
１１  収納室
１２  機械室
１３  前面
１４  後面
１５  後面開口
１６  商品載置棚
１７  ブラケット部材
１８  受部材
１９  棚板
２０  棚柱
２１  レール部材
２３  断熱底板
３０  扉体
３１  ガスケット部材
３２  背面ダクト
５０  冷却ユニット
５１  冷却器
５２  放熱器
５３  循環ファン（循環手段）
５４  放熱ファン
５５  ペルチェ素子
Ｓ  領域
【図１】
0006269454.tif 000002
【図２】
0006269454.tif 000003
【図３】
0006269454.tif 000004
【図４】
0006269454.tif 000005
【図５】
0006269454.tif 000006
【図６】
0006269454.tif 000007
【図７】
0006269454.tif 000008
【図８】
0006269454.tif 000009
【図９】
0006269454.tif 000010
【図１０】
0006269454.tif 000011
【図１１】
0006269454.tif 000012
【図１２】
0006269454.tif 000013
【図１３】
0006269454.tif 000014
【図１４】
0006269454.tif 000015
【図１５】
0006269454.tif 000016
【図１６】
0006269454.tif 000017
【図１７】
0006269454.tif 000018
【図１８】
0006269454.tif 000019